(57)【要約】【課題】被計測者が自分の生理年齢と実験統計の標準値との差を快速に知ることができる生理年齢指標計測装置とその方法を提供する。【解決手段】ＣＰＵを含み、位相角度評価プレートフォームの主体を形成するために、前記ＣＰＵには、位相角度データベースと、建議データベースと、が通信的に連接され、そして前記ＣＰＵには、電源と、出力装置と、少なくとも一つの入力装置と、複数の入力センサーと、が連接され、前記位相角度評価プレートフォームは、位相角度θと、被計測者の年齢と、被計測者の身体質量指数BMIと、を関連するプレートフォームであり、前記位相角度データベースには、年齢と、性別と、体調と、人種と、国籍と、電気抵抗値と、生物インピーダンス位相角度見込み値と、などが記憶され、前記建議データベースは、各数値が無し又は超えた場合の対策であり、前記入力センサーは、被計測者の四肢に貼り付けられた電極対である。【選択図】図２
2010136891.tif 000002
【特許請求の範囲】
【請求項１】
ＣＰＵを含み、位相角度評価プレートフォームの主体を形成するために、前記ＣＰＵには、位相角度データベースと、建議データベースと、が通信的に連接されており、そして前記ＣＰＵには、電源と、出力装置と、少なくとも一つの入力装置と、複数の入力センサーと、が連接されており、
前記位相角度評価プレートフォームは、位相角度θと、被計測者の年齢と、被計測者の身体質量指数BMIと、を関連するプレートフォームであり、
前記位相角度データベースには、年齢と、性別と、体調と、人種と、国籍と、電気抵抗値と、生物インピーダンス位相角度見込み値と、などが記憶されており、
前記建議データベースは、各数値が無し又は超えた場合の対策であり、
前記入力センサーは、被計測者の四肢に貼り付けられた電極対であることを特徴とする、生理年齢指標計測装置。
【請求項２】
前記位相角度評価プレートフォームは人体のリアクタンスと関係なく、前記電源は、電池でもいいし、市電でもよく、前記出力装置はディスプレイでもよく、前記入力装置は、キーボードでもいいし、ボタンでもいいし、タッチパネルでもよいことを特徴とする、請求項１に記載の生理年齢指標計測装置。
【請求項３】
入力装置に、身長、体重、年齢、性別と体調などの被計測者の基本資料を入力するステップと、
コンピュータにより、被計測者の基本資料に基づいて、位相角度評価プレートフォームの位相角度データベースから、被計測者に最も近接している標準モジュールを取り出し、前記標準モジュールにおける標準値は、位相角度標準値と、生物インピーダンス位相角度見込み標準値と、電気抵抗値標準値と、を含むステップと、
被計測者の四肢の末端にそれぞれ貼り付けられた計測装置の各入力センサーにより、インピーダンス値と、位相角度と、生物インピーダンス位相角度見込みと、が計測されて照合値が形成され、前記照合値は、インピーダンス値と、位相角度と、生物インピーダンス位相角度見込みと、などの数値を含み、前記入力センサーは電極対であり、前記計測装置のＣＰＵに前記位相角度データベースと建議データベースとを合せると位相角度評価プレートフォームが形成され、前記位相角度評価プレートフォームにより前記各照合値が前記各数値の参考値に変換されるステップと、
前記位相角度評価プレートフォームにより、各標準値と、照合値と、参考値と、を比べるステップと、
上記ステップの後、建議データベースにより、各建議に合う資料をサーチして取り出すステップと、
前記各数値と、上記ステップから取り出された資料と、を同一の帳票にリストするステップと、を含むことを特徴とする、生理年齢指標計測方法。
【請求項４】
位相角度データベースのモジュールを建てるプロセスは、
生物インピーダンス法により、大量の被計測者のインピーダンス値と、位相角度と、生物インピーダンス位相角度見込みと、などの数値を計測するステップと、
被計測者の年齢、性別と体調などの条件について、相違する標準モジュールを建てることにより、位相角度と年齢と生物インピーダンス位相角度見込み値と、などの条件が形成され、これらの条件を統計分析すると、位相角度評価プレートフォーム及び位相角度データベースが形成されるステップと、
各被計測者の相違する標準モジュールを累積して統計分析して、各モジュールの標準値を形成して記録するステップと、を含むことを特徴とする、生理年齢指標計測方法。
【請求項５】
前記位相角度評価プレートフォームのモジュール化分析は、統計分析によって施し、且つ位相角度θと被計測者の年齢と生物インピーダンス位相角度見込みBMIと、の関係を示す公式は、
男性の場合には、（θ）＝C1男性+C2男性×年齢+C3男性×BMIであり、
女性の場合には、（θ）＝C1女性+C2女性×年齢+C3女性×BMIであることを特徴とする、請求項４に記載の生理年齢指標計測方法。
【発明の詳細な説明】
【技術分野】
【０００１】
本発明は、生理年齢指標計測装置とその方法に係り、特に、被計測者が自分の生理年齢と実験統計の標準値との差を快速に知ることができる生理年齢指標計測装置とその方法に関するものである。
【背景技術】
【０００２】
生物インピーダンス法による分析は、生物の組織と器官との電気特性（例えばインピーダンスなど）とその変化から、人体の生理と病理との状況に関連する情報を取り出す非侵入式計測技術である。なお、生物インピーダンス位相角度の研究及び応用において、Oliver氏は、健康の被計測者と肝臓硬化の患者とに対して、生物インピーダンス位相角度の差を研究し比べた。Lukaski氏は、女性の妊娠初期、中期、末期及び出産後の各時点で位相角度を研究した。Brabose-Silva氏は、大都市に住んでいる、８３２名の男性と、１１３５名の女性とに対して、その年齢と位相角度との関係を研究した。Marra氏は、神経性食欲不振症の女性患者に対して、位相角度によって基礎代謝率（Basal  Metabolic  Rate-BMR）を予測する研究を施した。Guida氏は、相違する肥満程度のお年寄りに対して、年齢と肥満程度と位相角度との関係を研究した。その他に、HIVの観測、肺がん、血液透析及び重大病気への応用もあり、だから、生物インピーダンス法の位相角度は、特定のグループや患者に応用することが多く、これらの研究結果によると、位相角度が小さいほど、健康状況が悪くなり、且つ年齢が増加すると、位相角度が小さくなるとの結論を得ることができ、これにより、被計測者の位相角度によって生理年齢の状態を判断することができる。また、近年、生物インピーダンス法が人体の組成成分の分析及び見込みに適用され、しかし、位相角度と、肥満又は生理年齢と、の間に何の関係が存在するかとの研究は今まで少ない。
【０００３】
生物インピーダンス法の三素子等価回路モデルは、図１に示すように、Riが細胞内液電気抵抗であり、Reが細胞外液電気抵抗であり、Cが細胞膜電気容量であり、その総インピーダンスZは、Z＝Re/（ZC+Ri）である。
【０００４】
Cole-Cole理論によると、RC三素子等価回路モデルの複数平面におけるインピーダンスの軌跡グラフは、図２に示すように、第四クアドラントに位置する円弧であり、これは、RiとCとが並列接続して得られた結果と解釈することができる。
【０００５】
なお、Anja氏及びAntonio氏などは、健康状態が良い大量の被計測者に対して、生物インピーダンス法によって位相角度の研究を施し、これにより、位相角度の研究の結果の信頼度が更に増加し、しかし、同様のテスト環境と、大量のサンプリング数と、が位相角度の研究の前提である。
【発明の開示】
【発明が解決しようとする課題】
【０００６】
本発明の主な目的は、被計測者が自分の生理年齢と実験統計の標準値との差を快速に知ることができる生理年齢指標計測装置とその方法を提供することにある。
【課題を解決するための手段】
【０００７】
本発明の請求項１に記載の生理年齢指標計測装置によると、ＣＰＵを含み、位相角度評価プレートフォームの主体を形成するために、前記ＣＰＵには、位相角度データベースと、建議データベースと、が通信的に連接されており、そして前記ＣＰＵには、電源と、出力装置と、少なくとも一つの入力装置と、複数の入力センサーと、が連接されており、前記位相角度評価プレートフォームは、位相角度θと、被計測者の年齢と、被計測者の身体質量指数BMIと、を関連するプレートフォームであり、前記位相角度データベースには、年齢と、性別と、体調と、人種と、国籍と、電気抵抗値と、生物インピーダンス位相角度見込み値と、などが記憶されており、前記建議データベースは、各数値が無し又は超えた場合の対策であり、前記入力センサーは、被計測者の四肢に貼り付けられた電極対であることを特徴とする生理年齢指標計測装置である。
【０００８】
本発明の請求項２に記載の生理年齢指標計測装置によると、前記位相角度評価プレートフォームは人体のリアクタンスと関係なく、前記電源は、電池でもいいし、市電でもよく、前記出力装置はディスプレイでもよく、前記入力装置は、キーボードでもいいし、ボタンでもいいし、タッチパネルでもよい。
【０００９】
本発明の請求項３に記載の生理年齢指標計測方法によると、入力装置に、身長、体重、年齢、性別と体調などの被計測者の基本資料を入力するステップと、コンピュータにより、被計測者の基本資料に基づいて、位相角度評価プレートフォームの位相角度データベースから、被計測者に最も近接している標準モジュールを取り出し、前記標準モジュールにおける標準値は、位相角度標準値と、生物インピーダンス位相角度見込み標準値と、電気抵抗値標準値と、を含むステップと、被計測者の四肢の末端にそれぞれ貼り付けられた計測装置の各入力センサーにより、インピーダンス値と、位相角度と、生物インピーダンス位相角度見込みと、が計測されて照合値が形成され、前記照合値は、インピーダンス値と、位相角度と、生物インピーダンス位相角度見込みと、などの数値を含み、前記入力センサーは電極対であり、前記計測装置のＣＰＵに前記位相角度データベースと建議データベースとを合せると位相角度評価プレートフォームが形成され、前記位相角度評価プレートフォームにより前記各照合値が前記各数値の参考値に変換されるステップと、前記位相角度評価プレートフォームにより、各標準値と、照合値と、参考値と、を比べるステップと、上記ステップの後、建議データベースにより、各建議に合う資料をサーチして取り出すステップと、前記各数値と、上記ステップから取り出された資料と、を同一の帳票にリストするステップと、を含むことを特徴とする生理年齢指標計測方法である。
【００１０】
本発明の請求項４に記載の生理年齢指標計測方法によると、位相角度データベースのモジュールを建てるプロセスは、生物インピーダンス法により、大量の被計測者のインピーダンス値と、位相角度と、生物インピーダンス位相角度見込みと、などの数値を計測するステップと、被計測者の年齢、性別と体調などの条件について、相違する標準モジュールを建てることにより、位相角度と年齢と生物インピーダンス位相角度見込み値と、などの条件が形成され、これらの条件を統計分析すると、位相角度評価プレートフォーム及び位相角度データベースが形成されるステップと、各被計測者の相違する標準モジュールを累積して統計分析して、各モジュールの標準値を形成して記録するステップと、を含むことを特徴とする生理年齢指標計測方法である。
【００１１】
本発明の請求項５に記載の生理年齢指標計測方法によると、前記位相角度評価プレートフォームのモジュール化分析は、統計分析によって施し、且つ位相角度θと被計測者の年齢と生物インピーダンス位相角度見込みBMIと、の関係を示す公式は、男性の場合には、（θ）＝C1男性+C2男性×年齢+C3男性×BMIであり、女性の場合には、（θ）＝C1女性+C2女性×年齢+C3女性×BMIである。
【発明の効果】
【００１２】
本発明の生理年齢指標計測装置とその方法によれば、被計測者が自分の生理年齢と実験統計の標準値との差を快速に知ることができるという効果を有する。
【発明を実施するための最良の形態】
【００１３】
以下、本発明の実施の形態を図面に基づいて説明する。
まず、図３乃至図５を参照する。本発明に係る生理年齢指標計測装置１０は、ＣＰＵ１１を含み、位相角度評価プレートフォーム２０の主体を形成するために、前記ＣＰＵ１１には、位相角度データベース１２と、建議データベース１３と、が通信的に連接されており、そして前記ＣＰＵ１１には、電源１４と、出力装置１５と、少なくとも一つの入力装置１６と、複数の入力センサー１７と、が連接されており、前記位相角度データベース１２には、年齢と、性別と、体調と、人種と、国籍と、電気抵抗値と、生物インピーダンス位相角度見込み値と、などが記憶されており、なお、前記建議データベース１３は、各数値が無し又は超えた場合の対策であり、前記電源１４は、電池でもいいし、市電でもよく、前記出力装置１５はディスプレイでもよく、前記入力装置１６は、キーボードでもいいし、ボタンでもいいし、タッチパネルでもよく、前記入力センサー１７は、被計測者の四肢に貼り付けられた電極対である。
【００１４】
前記位相角度評価プレートフォーム２０は、位相角度データベース１２によって構成され、位相角度θと、被計測者の年齢と、被計測者の身体質量指数BMIと、を関連するプレートフォームである。
【００１５】
本発明に係る生理年齢指標計測方法３０は、入力装置１６に、身長、体重、年齢、性別と体調などの被計測者の基本資料を入力するステップ（資料入力３１）と、
【００１６】
コンピュータにより、被計測者の基本資料を基づいて、位相角度評価プレートフォーム２０の位相角度データベース１２から、被計測者に最も近接している標準モジュールを取り出し、前記標準モジュールにおける標準値２１は、位相角度標準値と、生物インピーダンス位相角度見込み標準値と、電気抵抗値標準値と、を含むステップ（標準モジュール選択及び比べ３２）と、
【００１７】
被計測者の四肢の末端にそれぞれ貼り付けられた計測装置１０の各入力センサー１７により、インピーダンス値と、位相角度と、生物インピーダンス位相角度見込みと、が計測されて照合値２２が形成され、前記照合値２２は、インピーダンス値と、位相角度と、生物インピーダンス位相角度見込みと、などの数値を含み、前記入力センサー１７は電極対であり、前記計測装置１０のＣＰＵ１１に前記位相角度データベース１２と建議データベース１３とを合せると位相角度評価プレートフォーム２０が形成され、前記位相角度評価プレートフォーム２０により前記各照合値２２が前記各数値の参考値２３に変換されるステップ（被計測者比べ数値計測３３）と、
【００１８】
前記位相角度評価プレートフォーム２０により、各標準値２１と、照合値２２と、参考値２３と、を比べるステップ（比べ３４）と、上記ステップの後、建議データベース１３により、各建議に合う資料をサーチして取り出すステップ（統合３５）と、
【００１９】
前記各数値と、上記ステップから取り出された資料と、を同一の帳票にリストするステップ（帳票産生３６）と、を含む。上記の数値の差と、建議と、から被計測者の生理年齢を知ることができる。
【００２０】
また、位相角度データベース１２のモジュールを建てるプロセスは、生物インピーダンス法により、大量の被計測者のインピーダンス値と、位相角度と、生物インピーダンス位相角度見込みと、などの数値を計測するステップ（計測４１）と、
【００２１】
被計測者の年齢、性別と体調などの条件について、相違する標準モジュールを建てることにより、位相角度と年齢と生物インピーダンス位相角度見込み値と、などの条件が形成され、これらの条件を統計分析すると、位相角度評価プレートフォーム２０及び位相角度データベース１２が形成されるステップ（位相角度評価プレートフォーム建て４２）と、
【００２２】
各被計測者の相違する標準モジュールを累積して統計分析して、各モジュールの標準値を形成して記録するステップ（データベース形成４３）と、を含む。
【００２３】
前記位相角度評価プレートフォーム２０のモジュール化分析は、統計分析によって施し、且つ各国籍の人種を計測対象とする場合には、位相角度θと被計測者の年齢と生物インピーダンス位相角度見込みBMIと、の関係を示す公式は、男性の場合には、（θ）＝C1男性+C2男性×年齢+C3男性×BMIであり、
女性の場合には、（θ）＝C1女性+C2女性×年齢+C3女性×BMIである。
【００２４】
C1〜C6は統計分析によって得られた係数であるので、各標準モジュールの関係式に照合値２２を代入すると、相違する参考値２３を得ることができ、照合値２２と参考値２３との差と、照合値２２と標準値２１との標準差とから、被計測者の実際状況と、標準値又は参考値との差を知ることができる。被計測者は、位相角度評価プレートフォーム２０の各関係式から各差値を得ることができ、その後、建議データベース１３からそれに対応する内容を選定して帳票を産生する。
【００２５】
照合値２２と参考値２３との差によって、被計測者の体調と、モジュールの標準との差を知ることができ、そして照合値２２と参考値２３との比べから、各数値の変化傾向を知ることもできる。
【図面の簡単な説明】
【００２６】
【図１】従来の生物インピーダンス分析法の模式図である。
【図２】従来の位相角度の模式図である。
【図３】本発明に係る計測装置の模式図である。
【図４】本発明に係る計測方法の模式図である。
【図５】本発明に係る位相角度データベースを建てるプロセスを示す模式図である。
【符号の説明】
【００２７】
１０  計測装置
１１  ＣＰＵ
１２  位相角度データベース
１３  建議データベース
２０  位相角度評価プレートフォーム
１４  電源
１５  出力装置
１６  入力装置
１７  入力センサー
２０  位相角度評価プレートフォーム
２１  標準値
２２  照合値
２３  参考値
３０  計測方法
３１  資料入力
３２  標準モジュール選択及び比べ
３３  被計測者比べ数値計測
３４  比べ
３５  統合
３６  帳票産生
４０  モジュール建てプロセス
４１  計測
４２  位相角度評価プレートフォーム建て、
４３  データベース形成
【図１】
2010136891.tif 000003
【図２】
2010136891.tif 000004
【図３】
2010136891.tif 000005
【図４】
2010136891.tif 000006
【図５】
2010136891.tif 000007